(57)【特許請求の範囲】
【請求項１】
周辺環境の環境データを検出するセンサと、
制御対象である複数の機器と、
前記機器の一覧を表示する表示部、
前記機器を制御する操作を入力する入力部、
前記複数の機器毎に、前記環境データにおける閾値を記憶する記憶部、
前記環境データが閾値を超えた機器に対して、前記表示部に表示させる優先度を高く設定する処理部を備えるリモートコントローラと
を備えることを特徴とする機器制御システム。
【請求項２】
前記入力部は、前記記憶部が記憶する前記閾値を設定可能であることを特徴とする請求項１に記載の機器制御システム。
【請求項３】
前記記憶部は、前記複数の機器毎に、前記機器に対する前記入力部の操作回数を記憶し、
前記処理部は、前記環境データが閾値を超えた機器が複数ある場合、前記操作回数が多い順に、前記優先度を更に高く設定することを特徴とする請求項１または２に記載の機器制御システム。
【請求項４】
前記記憶部は、設定された時間帯毎に前記操作回数を記憶し、
前記処理部は、前記環境データが閾値を超えた機器が複数ある場合、時間帯に応じた前記操作回数が多い順に、前記優先度を更に高く設定することを特徴とする請求項３に記載の機器制御システム。
【請求項５】
前記入力部は、前記記憶部が前記操作回数を記憶する前記時間帯を設定可能であることを特徴とする請求項４に記載の機器制御システム。
【請求項６】
前記記憶部は、前記複数の機器毎に、任意に設定された、前記表示部に表示させる優先度である任意優先度を記憶し、
前記処理部は、前記環境データが閾値を超えた機器が複数ある場合、前記任意優先度の高い順に、前記優先度を更に高く設定することを特徴とする請求項１〜５のいずれか１項に記載の機器制御システム。
【請求項７】
制御対象である複数の機器の一覧を表示する表示部と、
前記機器を制御する操作を入力する入力部と、
前記複数の機器毎に、周辺環境の環境データにおける閾値を記憶する記憶部と、
センサから入力された前記環境データが閾値を超えた機器に対して、前記表示部に表示させる優先度を高く設定する処理部と
を備えることを特徴とするリモートコントローラ。
【発明の詳細な説明】
【技術分野】
【０００１】
本発明は、ネットワーク内の複数の機器を制御する機器制御システム及びリモートコントローラに関する。
【背景技術】
【０００２】
所定の範囲の機器を統合して管理する、いわゆるホームネットワーク等において、制御対象である機器を制御する機器制御システムが知られている。このような機器制御システムは、ネットワーク内の機器を表示する表示部を備えるリモートコントローラ（操作端末）により、表示された機器の制御を行うことができる（特許文献１参照）。
【０００３】
このような機器制御システムでは、制御対象となり得る機器の数が増えると、一度に機器の一覧を表示部に表示することが難しくなる。これに対して、リモートコントローラは、表示画面を複数頁生成し、頁を切り替えることにより、制御すべき機器を選択可能とすることができる。
【先行技術文献】
【特許文献】
【０００４】
【特許文献１】特開２００３−８７２７５号公報
【発明の概要】
【発明が解決しようとする課題】
【０００５】
制御対象となり得る機器の数が増え、機器の選択画面が複数頁ある場合において、目的の機器を操作する際、頁を切り替える為のリモートコントローラに対する操作回数が増え、ユーザの利便性を損なう虞がある。
【０００６】
本発明は、ユーザの利便性を向上させることができる機器制御システム及びリモートコントローラを提供することを目的とする。
【課題を解決するための手段】
【０００７】
上記目的を達成するために、本発明の第１の態様は、周辺環境の環境データを検出するセンサと、制御対象である複数の機器と、前記機器の一覧を表示する表示部、前記機器を制御する操作を入力する入力部、前記複数の機器毎に、前記環境データにおける閾値を記憶する記憶部、前記環境データが閾値を超えた機器に対して、前記表示部に表示させる優先度を高く設定する処理部を備えるリモートコントローラとを備える機器制御システムであることを要旨とする。
【０００８】
また、本発明の第１の態様に係る機器制御システムにおいては、前記入力部は、前記記憶部が記憶する前記閾値を設定可能であることができる。
【０００９】
また、本発明の第１の態様に係る機器制御システムにおいては、前記記憶部は、前記複数の機器毎に、前記機器に対する前記入力部の操作回数を記憶し、前記処理部は、前記環境データが閾値を超えた機器が複数ある場合、前記操作回数が多い順に、前記優先度を更に高く設定することができる。
【００１０】
また、本発明の第１の態様に係る機器制御システムにおいては、前記記憶部は、設定された時間帯毎に前記操作回数を記憶し、前記処理部は、前記環境データが閾値を超えた機器が複数ある場合、時間帯に応じた前記操作回数が多い順に、前記優先度を更に高く設定することができる。
【００１１】
また、本発明の第１の態様に係る機器制御システムにおいては、前記入力部は、前記記憶部が前記操作回数を記憶する前記時間帯を設定可能であることができる。
【００１２】
また、本発明の第１の態様に係る機器制御システムにおいては、前記記憶部は、前記複数の機器毎に、任意に設定された、前記表示部に表示させる優先度である任意優先度を記憶し、前記処理部は、前記環境データが閾値を超えた機器が複数ある場合、前記任意優先度の高い順に、前記優先度を更に高く設定することができる。
【００１３】
本発明の第２の態様は、制御対象である複数の機器の一覧を表示する表示部と、
前記機器を制御する操作を入力する入力部と、前記複数の機器毎に、周辺環境の環境データにおける閾値を記憶する記憶部と、センサから入力された前記環境データが閾値を超えた機器に対して、前記表示部に表示させる優先度を高く設定する処理部とを備えるリモートコントローラであることを要旨とする。
【発明の効果】
【００１４】
本発明によれば、ユーザの利便性を向上する機器制御システム及びリモートコントローラを提供することができる。
【図面の簡単な説明】
【００１５】
【図１】本発明の実施の形態に係る機器制御システムの基本的な構成を説明する模式的なブロック図である。
【図２】本発明の実施の形態に係る機器制御システムが備えるリモートコントローラを説明する模式的なブロック図である。
【図３】（ａ）、（ｂ）は、本発明の実施の形態に係る機器制御システムが備えるリモートコントローラのタッチパネルの表示画面の一例である。
【図４】本発明の実施の形態に係る機器制御システムに用いる優先度テーブルを図示した一例である。
【図５】本発明の実施の形態に係る機器制御システムに用いる優先度テーブルを図示した一例である。
【図６】本発明の実施の形態に係る機器制御システムに用いる優先度テーブルを図示した一例である。
【図７】本発明の実施の形態に係る機器制御システムに用いる優先度テーブルを図示した一例である。
【図８】本発明の実施の形態に係る機器制御システムに用いる優先度テーブルを図示した一例である。
【図９】本発明の実施の形態に係る機器制御システムに用いる優先度テーブルを図示した一例である。
【発明を実施するための形態】
【００１６】
次に、図面を参照して、本発明の実施の形態を説明する。以下の図面の記載において、同一又は類似の部分には同一又は類似の符号を付している。但し、以下に示す実施の形態は、本発明の技術的思想を具体化するための装置や方法、及びこれらの装置を用いたシステムを例示するものであって、本発明の技術的思想は、下記の実施の形態に例示した装置や方法、及びこれらの装置を用いたシステムに特定するものでない。本発明の技術的思想は、特許請求の範囲に記載された技術的範囲内において、種々の変更を加えることができる。
【００１７】
（機器制御システム）
本発明の実施の形態に係る機器制御システムは、図１に示すように、リモートコントローラ１と、リモートコントローラ１による制御対象である複数の機器２ａ，２ｂ，２ｃ，２ｄ，２ｅ，２ｆと、センサ３ａ，３ｂとを備える。リモートコントローラ１は、機器２ａ〜２ｆの動作を制御するコントローラである。機器２ａ〜２ｆは、例えば、照明機器、エアコン、電動式の天窓、床暖房、給排気ファン、電動シャッタ、給湯器、電気錠、カメラ、洗濯機等、種々の電気機器とすることができる。
【００１８】
センサ３ａ，３ｂは、周辺環境の環境データを検出する。センサ３ａ，３ｂは、例えば、温度センサ、照度センサ、湿度センサ等である。この場合、センサ３ａ，３ｂは、環境データとして温度、湿度、照度等を検出する。センサ３ａ，３ｂは、機器２ａ〜２ｆが設置される部屋、廊下等の空間に設置されてもよく、機器２ａ〜２ｆが内部に備えてもよい。この他、環境データを検出するデータは、リモートコントローラ１が内部に備えるようにしてもよい。
【００１９】
リモートコントローラ１は、図２に示すように、通信部１１と、処理部１２と、記憶部１３と、センサ部１４と、表示部１５と、入力部１６とを備える。リモートコントローラ１は、例えば、可搬型であり、通信部１１により、機器２ａ〜２ｆに機器２ａ〜２ｆを制御する制御信号を無線送信することができる。通信部１１は、機器２ａ〜２ｆ、センサ３ａ，３ｂに通信可能に接続する。
【００２０】
処理部１２は、リモートコントローラ１の各部が行う種々の演算を処理する。記憶部１３は、処理部１２による処理に必要なプログラムファイル、一時ファイル等の種々のデータを記憶する。センサ部１４は、例えば、センサ３ａ，３ｂと同等センサから構成され、周辺環境の環境データを検出することができる。
【００２１】
表示部１５は、液晶ディスプレイ、有機ＥＬディスプレイ等のディスプレイ装置で構成される。入力部１６は、タッチセンサ、各種スイッチ等の入力装置で構成され、機器２ａ〜２ｆを制御するユーザの操作を入力する。表示部１５及び入力部１６は、入力装置とディスプレイ装置とを応用した構成としてタッチパネル（１５，１６）としてもよい。
【００２２】
例えば、タッチパネル（１５，１６）の表示部１５は、図３に示すように、制御対象である機器２ａ〜２ｆの一覧を表示する。機器２ａ〜２ｆの数が多く、一度に機器２ａ〜２ｆの一覧を表示できない場合、処理部１２は、表示画面を複数頁生成し、頁を切り替えることにより、タッチパネル（１５，１６）の表示部１５に機器２ａ〜２ｆの一覧を表示させる。頁の切り替えは、例えば、入力部１６に対するユーザの入力により行われる。
【００２３】
処理部１２は、表示部１５に表示される機器２ａ〜２ｆに対して、優先度を設定し、優先度の高い機器から順に優先的に表示させる。図３に示す例では、第１頁を示す図３（ａ）の左端（寝室照明）から右端（浴室乾燥機）、次いで、第２頁を示す図３（ｂ）の左端（照明Ａ）から右端（ＩＨ調理器）の順で高い優先度となっている。ユーザは、一覧から制御対象の機器を選択し、入力部１６に対する操作入力により、所望の制御を行うことができる。
【００２４】
記憶部１３は、処理部１２が優先度の設定に用いる優先度テーブルを記憶する。優先度テーブルは、例えば、図４に示すように、機器２ａ〜２ｆ毎に、環境データの閾値を記憶する。図４に示す例では、環境データは温度であり、例えば機器「電気ストーブ」の閾値は「１３℃以下」である。記憶部１３が記憶する環境データの閾値は、入力部１６からの操作入力より、適宜変更、設定されてよい。その他、記憶部１３が記憶する優先度テーブルは、図５に示すように、機器２ａ〜２ｆ毎に、機器２ａ〜２ｆに対する入力部１６の操作回数等を記憶する。
【００２５】
処理部１２は、センサ３ａ，３ｂが検出した環境データを入力すると、記憶部１３が記憶する優先度テーブルを参照し、機器２ａ〜２ｆに対して、表示部１５に表示させる優先度を設定する。すなわち、処理部１２は、環境データの閾値を超えた機器に対して、優先度を高く設定する。
【００２６】
例えば、センサ３が環境データとして温度１４℃を検出した場合において、環境データの閾値「１５℃以下」を超えた機器は「床暖房」である。よって、処理部１２は、番号「３」の機器「床暖房」の行を、番号「１」へと繰り上げ、優先度を高く設定する。
【００２７】
例えば、表示部１５の表示画面に、機器の一覧の第１頁として「電気ストーブ」、「エアコン」の２つのみが表示され、「床暖房」が第２頁として表示される場合を考える。この場合、「床暖房」の環境データが閾値を超えたため、「床暖房」の優先度が高く設定され、機器の一覧の第１頁に表示されるようになる。
【００２８】
処理部１２は、環境データが閾値を超えた機器が複数ある場合、更にユーザが所望する制御対象である可能性が高い機器に対して、優先度を更に高く設定することができる。例えば図５に示すように、環境データが温度１２℃である場合、すべての機器２が閾値を超え、優先度を高くする対象となってしまう。
【００２９】
処理部１２は、優先度テーブルの操作回数を参照し、操作回数の多い機器から順に高い優先度となるように、更に優先度を設定する。よって、処理部１２は、環境データが閾値を超えた機器が複数ある場合、利用頻度の高いと考えられる機器２ａ〜２ｆから優先的に表示部１５に表示させることができる。
【００３０】
また、優先度テーブルは、機器２ａ〜２ｆ毎に、任意に設定可能な任意優先度が設定されてもよい。例えば図６に示すように、優先度テーブルは、機器「エアコン」に任意優先度（図６等において単に「優先度」と表示）が設定されている。処理部１２は、温度１２℃で、操作回数の多い機器から順に「電気ストーブ」、「床暖房」、「エアコン」となる場合であっても、「エアコン」に任意優先度が設定されており、「エアコン」の優先度を最高にすることができる。任意優先度がレベルを有する場合、処理部１２は、任意優先度の高い順に、優先度を更に高く設定するようにしてもよい。
【００３１】
また、優先度テーブルの「操作回数」の項は、時間帯毎に記憶されてもよい。例えば、図７、図８、図９に示すように、「朝」、「昼」、「夜」のように時間帯を区分けし、処理部１２は、ユーザが操作する時間帯に応じた「操作回数」の項を参照するようにすればよい。時間帯は、例えば、朝を６時〜９時、昼を９時〜１６時、夜を１６時〜６時のように設定できる。時間帯の設定は、入力部１６からのユーザの入力により、例えば朝：５時〜８時、昼：８時〜１７時、夜：１７時〜５時のように変更、設定可能である。
【００３２】
例えば、朝７時にユーザがリモートコントローラ１を操作する場合、時間帯は「朝」に該当し、図７に示す操作回数を参照し、「電気ストーブ」、「エアコン」、「床暖房」の順に優先度を更に高く設定する。
【００３３】
本発明の実施の形態に係る機器制御システムによれば、ユーザが所望する制御対象である可能性が高い機器を優先的に表示できるため、不要な操作を省略することができ、ユーザの利便性を向上させることができる。
【００３４】
また、本発明の実施の形態に係る機器制御システムによれば、入力部からの入力により、環境データの閾値、優先度等を任意に設定できるため、各ユーザの生活スタイルにあった設定を行うことができ、ユーザの利便性を向上させることができる。
【００３５】
（その他の実施の形態）
上記のように、本発明を実施の形態によって記載したが、この開示の一部をなす論述及び図面は本発明を限定するものであると理解すべきではない。この開示から当業者には様々な代替実施の形態、実施例及び運用技術が明らかとなろう。
【００３６】
機器２ａ〜２ｆ、センサ３ａ，３ｂ等の数は、例示であり、本発明の実施の形態において説明した数に限るものではない。また、通信方式は、本発明の実施の形態において説明した方式に限るものではなく、有線または無線を適宜選択することができる。
【００３７】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３８】
１…リモートコントローラ
２…機器
３…センサ
１１…通信部
１２…処理部
１３…記憶部
１５…表示部
１６…入力部
【図１】
0005975317.tif 000002
【図２】
0005975317.tif 000003
【図３】
0005975317.tif 000004
【図４】
0005975317.tif 000005
【図５】
0005975317.tif 000006
【図６】
0005975317.tif 000007
【図７】
0005975317.tif 000008
【図８】
0005975317.tif 000009
【図９】
0005975317.tif 000010